(57)【特許請求の範囲】
【請求項１】
所定のレンズを保持するレンズ枠と、
前記レンズの光軸に平行に延びる案内軸及び案内面を有するフレームと、を備え、
前記レンズ枠に、前記案内軸に係合する係合部と前記案内面に当接する当接部とを設け、
前記レンズ枠を、前記当接部が前記案内面に当接するよう、前記案内軸回りに回動付勢する付勢手段をさらに備え、
前記付勢手段が、前記レンズ枠に形成された係合部位と係合し、且つ該レンズ枠を前記案内軸に沿って駆動するための駆動部材であること、を特徴とする双眼鏡。
【請求項２】
所定のレンズを保持するレンズ枠と、
前記レンズの光軸に平行に延びる案内軸及び案内面を有するフレームと、を備え、
前記レンズ枠に、前記案内軸に係合する係合部と前記案内面に当接する当接部とを設け、
前記レンズ枠を、前記当接部が前記案内面に当接するよう、前記案内軸回りに回動付勢する付勢手段をさらに備え、
前記当接部が、前記レンズ枠に突設されたピンであり、
前記ピンは偏心形状を有すると共に、その略中央部において前記レンズ枠にねじ止めされており、前記ピンのねじ止め位置回りの取付角度を調節することにより、前記レンズ枠の前記案内軸に直交する面内の位置が微調整できること、を特徴とする双眼鏡。
【請求項３】
所定のレンズを保持するレンズ枠と、
前記レンズの光軸に平行に延びる案内軸及び案内面を有するフレームと、を備え、
前記レンズ枠に、前記案内軸に係合する係合部と前記案内面に当接する当接部とを設け、
前記レンズ枠を、前記当接部が前記案内面に当接するよう、前記案内軸回りに回動付勢する付勢手段をさらに備え、
前記所定のレンズの移動により視度差調整が行われること、を特徴とする双眼鏡。
【請求項４】
所定のレンズを保持するレンズ枠と、
前記レンズの光軸に平行に延びる案内軸及び案内面を有するフレームと、を備え、
前記レンズ枠に、前記案内軸に係合する係合部と前記案内面に当接する当接部とを設け、
前記レンズ枠を、前記当接部が前記案内面に当接するよう、前記案内軸回りに回動付勢する付勢手段をさらに備え、
前記当接部が前記案内面に取り付けられる位置は調節可能であり、当該調節によって、前記当接部が前記案内面に当接した時の前記レンズ枠の位置が調節されること、を特徴とする双眼鏡。
【請求項５】
前記付勢手段は、前記レンズ枠に形成された係合部位と係合し、且つ該レンズ枠を前記案内軸に沿って駆動するための駆動部材であること、を特徴とする請求項２から４のいずれかに記載の双眼鏡。
【請求項６】
前記駆動部材は板状部材であること、を特徴とする請求項１又は５に記載の双眼鏡。
【請求項７】
前記駆動部材は、前記付勢の方向に撓んだ形状に形成されていること、を特徴とする請求項６に記載の双眼鏡。
【請求項８】
前記当接部は、前記レンズ枠に突設されたピンであること、を特徴とする請求項１または３または４に記載の双眼鏡。
【請求項９】
前記ピンは偏心形状を有すると共に、その略中央部において前記レンズ枠にねじ止めされており、前記ピンのねじ止め位置回りの取付角度を調節することにより、前記レンズ枠の前記案内軸に直交する面内の位置が微調整できること、を特徴とする請求項８に記載の双眼鏡。
【請求項１０】
前記所定のレンズは対物光学系に属すること、を特徴とする請求項１から９のいずれかに記載の双眼鏡。
【請求項１１】
前記所定のレンズの移動により視度差調整が行われること、を特徴とする請求項１または２または４に記載の双眼鏡。
【請求項１２】
前記当接部が前記案内面に取り付けられる位置は調節可能であり、当該調節によって、前記当接部が前記案内面に当接した時の前記レンズ枠の位置が調節されること、を特徴とする請求項１から３のいずれかに記載の双眼鏡。
【請求項１３】
前記当接部はワッシャーの端面であること、を特徴とする請求項４または１２に記載の双眼鏡。
【請求項１４】
前記当接部は、前記案内面に当接する方向に移動調節し得るよう前記レンズ枠に設けられたねじ部材であること、を特徴とする請求項４または１２に記載の双眼鏡。
【発明の詳細な説明】
【０００１】
【発明の属する技術分野】
本発明は双眼鏡に関するものである。
【０００２】
【従来の技術】
双眼鏡では、望遠光学系に属する所定のレンズを光軸方向に移動することによって、視度差調整あるいは焦点調整が行われる。レンズを光軸方向に移動させるため、従来より、レンズを保持するレンズ枠は、光軸方向に延びる案内部材により移動可能に保持されている。
【０００３】
【発明が解決しようとする課題】
しかしながら、このような双眼鏡では、レンズ枠と案内部材との間にクリアランスがあると、レンズの移動に伴ってレンズ光軸がずれる可能性があった。
【０００４】
本発明は、上記の事情に鑑み、レンズの移動に伴うレンズ光軸のずれを防止することができる双眼鏡を提供することを目的とするものである。
【０００５】
【課題を解決するための手段】
上記の目的を達成するため、本発明の双眼鏡は、所定のレンズを保持するレンズ枠と、レンズの光軸に平行に延びる案内軸及び案内面を有するフレームと、を備え、レンズ枠に案内軸に係合する係合部と案内面に当接する当接部とを設けると共に、当接部が案内面に当接するようレンズ枠を案内軸回りに回動付勢する付勢手段をさらに備えて構成したものである。
このように構成すれば、レンズ枠の当接部と案内面とが常時当接しているため、レンズ枠の案内軸回りの位置決めが行われ、従って、レンズ枠の移動に伴うレンズ光軸のずれが防止される。
【０００６】
なお、上記の付勢手段を、レンズ枠に形成された係合部位と係合し且つ該レンズ枠を案内軸に沿って駆動するための駆動部材として構成することができる。このように、付勢手段を駆動部材と兼用することにより、部品点数が少なくて済む。また、駆動部材を板状部材とし、付勢の方向に撓んだ形状に形成すれば、付勢手段をより簡単に構成することができる。
【０００７】
また、当接部を、レンズ枠に突設されたピンとする構成も可能である。この場合、ピンを偏心形状に形成しその略中央部においてレンズ枠にねじ止めすると共に、ピンのねじ止め位置回りの取付角度を調節することによりレンズ枠の案内軸に直交する面内の位置が微調整できるよう構成することができる。このように構成すれば、案内軸に直交する面内におけるレンズ枠の位置調整を、簡単に行うことが可能となる。
【０００８】
なお、上記の所定のレンズを対物光学系に属するレンズとし、当該レンズの移動により視度差調整が行われるよう構成することもできる。
【０００９】
また、当接部が案内面に取り付けられる位置が調節可能であり、当該調節によって、当接部が案内面に当接した時のレンズ枠の位置が調節されるよう構成することも可能である。この場合、当接部はワッシャーの端面であっても良いし、案内面に当接する方向に移動調節し得るようレンズ枠に設けられたねじ部材であっても良い。
【００１０】
【発明の実施の形態】
以下、本発明の実施の形態を説明する。
本実施形態の双眼鏡は、左右の望遠光学系を双眼鏡の幅方向中心部に対して対称に移動させて眼幅調整を行うよう構成されたものであり、両接眼部の間隔の大小に係わらず、焦点調整用の操作部材が双眼鏡の幅方向中心部に位置するよう構成されたものである。以下、図面を参照して詳説する。
【００１１】
図１は、本実施形態の双眼鏡１を示す斜視図である。双眼鏡１は、双眼鏡の幅方向中心部に対して対称に移動可能な左右一対の鏡体（ケーシング）２１，２２と、両鏡体を支持する支持フレーム２５が設けられている。
【００１２】
図２は、双眼鏡１の光学系を示す図である。双眼鏡１は、接眼レンズと対物レンズが同一直線上に配置された、所謂ダハプリズムタイプの双眼鏡である。図２に示すように、双眼鏡１の左右の鏡体２１，２２には、左右一対の望遠光学系１０Ｌ，１０Ｒが収容されている。各望遠光学系１０Ｌ，１０Ｒは、図中一点鎖線で示す入射光軸ＯＡL，ＯＡRに沿って、第１レンズ１１Ｌ，１１Ｒ、補助プリズム１２Ｌ，１２Ｒ、ダハプリズム１３Ｌ，１３Ｒ、及び第２レンズ１４Ｌ，１４Ｒ、接眼レンズ１５Ｌ，１５Ｒからなっている。
【００１３】
第１レンズ１１Ｌ，１１Ｒ及び第２レンズ１４Ｌ，１４Ｒは、夫々対物光学系を形成しており、当該対物光学系により像が形成される位置に視野枠１６Ｌ，１６Ｒが設けられている。対物光学系により形成された像は、接眼レンズ１５Ｌ，１５Ｒにより拡大され、観察される。
【００１４】
次に、図１に示す左右一対の鏡体２１，２２を、双眼鏡の幅方向中心部に対して対称に移動可能とするための構成について説明する。なお、以下の説明では、双眼鏡の対物側（被写体に近い側）を前方、接眼側（観察者に近い側）を後方と呼ぶ。また、図２における光軸ＯＡL，ＯＡRに平行な方向は、単に「光軸方向」と呼ぶ。
【００１５】
図３は、双眼鏡１のフレーム構造を示す分解斜視図である。左右一対の鏡体２１，２２を移動可能に支持するための支持フレーム２５（図１）は、平行な２枚の板部材である底板４１と天板４２、及び底板４１と天板４２の間に設けられ双眼鏡の高さ方向の支柱となる中央支持体４５によって、横Ｈ字型のフレームとして構成されている。
【００１６】
左右の望遠光学系１０Ｌ，１０Ｒ（図２）の各レンズ及びプリズム（図３では夫々光軸ＯＡL，ＯＡRで示す）は、底板４１と天板４２の間で双眼鏡幅方向に移動可能に設けられた左右一対のスライドフレーム３１，３２に支持される。また、当該スライドフレーム３１，３２には、観察者に把持される部分である左右一対の外装ケース５１，５２が固定される。この左右のスライドフレーム３１，３２及び外装ケース５１，５２が、図１の鏡体２１，２２を構成する。
【００１７】
図４は、左右のスライドフレーム３１，３２、及び両スライドフレームを支持する底板４１を示す斜視図である。スライドフレーム３１，３２は、夫々中央部に開口３１２，３２２が形成された左右一対の板状部材である。スライドフレーム３１，３２の夫々双眼鏡左端及び右端に相当する端部は、鉛直上向きに屈曲され、側壁部３１１，３２１を形成している。
【００１８】
スライドフレーム３１の前端及び後端には、側壁部３１１から所定距離の位置に、鉛直方向上方に起立する一対の起立部３１３，３１４が形成されている。側壁部３１１と起立部３１３，３１４との間で、左側の望遠光学系１０Ｌ（図２）が保持される。同様に、スライドフレーム３２の保持部３２０の前端及び後端には起立部３２３，３２４が形成され、側壁部３２１と起立部３２３，３２４との間で、右側の望遠光学系１０Ｒ（図２）が保持される。
【００１９】
スライドフレーム３１の両起立部３１３，３１４の間には、前後方向に延びる案内軸３１５が掛け渡され、スライドフレーム３２の両起立部３２３，３２４の間には、前後方向に延びる案内軸３２５が掛け渡されている。両案内軸３１５，３２５は、接眼光学系及びプリズムを前後方向に移動させる際の案内を行うものである（詳細は後述する）。
【００２０】
スライドフレーム３１，３２を双眼鏡幅方向に案内するため、スライドフレーム３１の前端及び後端近傍には、双眼鏡幅方向に延びる案内溝３１０ａ，３１０ｂが夫々形成されている。同様に、スライドフレーム３２の前端及び後端近傍には、双眼鏡幅方向に延びる案内溝３２０ａ，３２０ｂが夫々形成されている。
【００２１】
底板４１の四隅には、スライドフレーム３１，３２の案内溝３１０ａ，３１０ｂ，３２０ａ，３２０ｂに夫々係合する４つの案内ピン４１３，４１４，４１５，４１６が設けられている。当該４つの案内ピンのうち、底板４１の後端側の案内ピン４１４，４１６は底板４１に植設されたピンである。一方、底板４１の前端側の案内ピン４１３，４１５は底板４１に形成されたねじ孔１２１，１２２に螺号するねじ部材である。
【００２２】
図５は、案内ピン４１３（４１５）と案内溝３１０ａ（３２０ａ）の係合部を示す断面図である。案内ピン４１３（４１５）は、案内溝３１０ａ（３２０ａ）の幅よりも大きな径を持つ頭部４１３ａ（４１５ａ）とねじ部４１３ｂ（４１５ｂ）よりなっている。ねじ部４１３ｂ（４１５ｂ）の下端部を、ねじ孔１２１，１２２に螺合させ、接着剤により固着（ネジロック）することにより、ねじ部４１３ｂ（４１５ｂ）の上部がカラー１２５（１２６）を介して案内溝３１０ａ（３２０ａ）に係合し、頭部４１３ａ（４１５ａ）がワッシャ１２３（１２４）を介してスライドフレーム３１（３２）上面に当接する。
【００２３】
このように構成することによって、スライドフレーム３１（３２）は底板４１と案内ピン４１３（４１５）によって上下方向に挟まれ、従って底板４１とスライドフレーム３１（３２）との上下方向のがたが除去される。即ち、案内ピン４１３，４１５により、スライドフレーム３１，３２が双眼鏡幅方向に案内されるだけでなく、底板４１とスライドフレーム３１，３２との上下方向のがたが除去される。
【００２４】
ここで、案内ピン４１３，４１５のねじ部４１３ｂ，４１５ｂをねじ孔１２１，１２２に螺合させただけの状態（固着する前の状態）では、螺合部分に僅かな隙間がある。そのため、その隙間分だけ案内ピン４１３，４１５の位置が微調整可能になる。従って、後方の案内ピン４１４，４１６を案内溝３１０ｂ，３２０ｂに係合させた状態で、前方の案内ピン４１３，４１５を、案内溝３１０ａ，３２０ａに対する位置を微調整をしながら、ねじ孔１２１，１２２に固着することができる。
【００２５】
そのため、４本の案内ピン全てを底板４１に植設した場合には、ピンと案内溝との間のクリアランスを、ピンと案内溝の寸法公差を考慮して大きめに設ける必要があり、そのためスライドフレーム３１，３２の移動がたを生じ易いのに対し、本実施形態では、クリアランスを大きくする必要が無いため、移動がたを抑えることができる。
【００２６】
図６は、図５の案内ピンの別の例を示す断面図である。案内ピン１３１（１３２）は頭部と軸部よりなるリベットである。軸部１３１ｂ（１３２ｂ）の下端部を、底板４１に形成された孔１３３（１３４）を貫通させ、下側でかしめることにより、軸部１３１ｂ（１３２ｂ）の上部が案内溝３１０ａ（３２０ａ）に係合し、頭部１３１ａ（１３２ａ）がスライドフレーム３１（３２）上面に当接する。このように構成されているため、図５の案内ピン４１３（４１５）と同様、底板４１とスライドフレーム３１，３２との上下方向のがたを除去することができる。
【００２７】
次に、スライドフレーム３１，３２を左右対称にスライドさせるための構成について説明する。
スライドフレーム３１の右端からは、スライドフレーム３２に向けて平行な一対の延出部３３１，３３２が延びており、スライドフレーム３２の左端からは、スライドフレーム３１に向けて一対の延出部３４１，３４２が延びている。
延出部３３１，３３２には双眼鏡の幅方向に延びる係合溝３３３，３３４が夫々形成され、同様に、延出部３４１，３４２には係合溝３４３，３４４が夫々形成されている。
【００２８】
図７に、スライドフレーム３１，３２を底板４１に取り付けた状態を示す。スライドフレーム３１，３２を底板４１に取り付けると、スライドフレーム３１の延出部３３１，３３２とスライドフレーム３２の延出部３４１，３４２とは、スライドフレーム３２側を上にして夫々重なるように配置される。
【００２９】
スライドフレーム３１の係合溝３３３とスライドフレーム３２の係合溝３４３には、底板４１の双眼鏡幅方向中央に植設されたピン４１１が係合し、スライドフレーム３１の係合溝３３４とスライドフレーム３２の係合溝３４４には、底板４１の双眼鏡幅方向中央に植設されたピン４１２が係合している。ピン４１１，４１２と各係合溝の係合により、スライドフレーム３１，３２は双眼鏡幅方向に案内される。
【００３０】
中央支持体４５は、底板４１の幅方向中央部において、スライドフレーム３１，３２の各延出部に跨るように配置される。スライドフレーム３１の延出部３３１、及びスライドフレーム３２の延出部３４２には、夫々ラック３３５，３４５が互いに向き合って形成されており、両ラック３３５，３４５は中央支持体４５の下部に設けられたピニオン３６に係合している。
【００３１】
また、図３に示すように、スライドフレーム３１の起立部３１３，３１４の上端面３１３ａ，３１４ａ、及びスライドフレーム３２の起立部３２３，３２４の上端面３２３ａ，３２４ａは、天板４２の下面に当接する当接面となっている。このように、スライドフレーム３１，３２は底板４１及び天板４２により鉛直方向に位置規制される。即ち、スライドフレーム３１，３２は、底板４１と天板４２及び中央支持体４５よりなる横Ｈ型の支持フレーム２５によって双眼鏡の幅方向にスライド可能に支持される。
【００３２】
このように、スライドフレーム３１，３２が双眼鏡幅方向にスライド可能に支持され、且つスライドフレーム３１，３２のラック３３５，３４５がピニオン３６に係合しているため、図８（ａ）、（ｂ）に示すように、スライドフレーム３１，３２は、互いに逆方向に同量だけ（即ち左右対称に）移動可能となる。
【００３３】
次に、スライドフレームと外装ケースの取付構造について説明する。
図９は、右側のスライドフレーム３２と外装ケース５２の取り付け構造を示す斜視図である。なお、図９では、スライドフレーム３２の上下に位置する底板４１，天板４２（図３）は省略する。
【００３４】
外装ケース５２は双眼鏡幅方向内側に開口した箱型に形成されている。外装ケース５２の前端には鉛直壁５２１が形成され、対物光学系の第１レンズ１１Ｒ（図２）に入射光を導くための開口５２２が形成されている。一方、外装ケース５２の後端は全体が開口となっており、当該開口の双眼鏡幅方向内側の周縁には、後端カバー５２９を取り付けるための外縁部５２３が形成されている。
【００３５】
スライドフレーム３２の一対の起立部３２３，３２４のうち、前方の起立部３２３には、前方に向けて水平に突出し、外装ケース５２の壁５２１に当接する当接部３４６が形成されている。また、接眼側の起立部３２４は後方に向けて屈曲され、屈曲部の上下端が外装ケース５２の外縁部５２３に当接する当接部３４７となっている。
【００３６】
さらに、起立部３２３にはねじ孔３４８が形成され、ねじ孔３４８に対応する外装ケース５２の所定箇所には貫通孔５２４が形成されている。また、起立部３２４にはねじ孔３２４ａが形成され、外装ケース５２の外縁部５２３にはめ込まれる後端カバー５２９には、ねじ孔３２４ａに対応する箇所に貫通孔５２６が形成されている。そして、側壁部３２１の所定箇所にはねじ孔３４９が形成され、ねじ孔３４７に対応する外装ケース５２の所定箇所には、貫通孔５２５が形成されている。
【００３７】
このように、スライドフレーム３２と外装ケース５２とは、当接部３４６，３４７と壁５２１及び外縁部５２３との当接、及びねじ孔３４８，３２４ａ，３４９へのねじの締め付けによって固定される。つまり、スライドフレーム３２の上下には底板４１と天板４２が位置するため、スライドフレーム３２の上下以外の箇所、即ち、前後端と側端において、スライドフレーム３２と外装ケース５２とが固定される。なお、左側の鏡体２１とスライドフレーム３１も、同様に固定される。
【００３８】
このように構成されているため、スライドフレーム３１，３２と外装ケース５１，５２により構成される左右の鏡体２１，２２は、横Ｈ型の支持フレーム２５に支持され、図１０（ａ）、（ｂ）に概略断面図として示す如く、支持フレーム２５に対して対称にスライドする。左右の鏡体（ケーシング）２１，２２が夫々箱体（殻）を構成し、底板４１と天板４２及び中央支持体４５よりなる横Ｈ型の支持フレーム２５に支持されるため、図１０（ｂ）に示すように、左右の鏡体２１，２２の間隔を広げた状態でも、双眼鏡１全体の剛性が保たれる。
【００３９】
次に、左右の鏡体において光学系を保持するための構成について説明する。
本実施形態の双眼鏡は、図２に示す左右の望遠光学系１０Ｌ，１０Ｒのうち、補助プリズム１２Ｌ，１２Ｒから接眼レンズ１５Ｌ，１５Ｒまでの部分を左右夫々移動可能なユニットとし、当該ユニットを光軸ＯＡL，ＯＡRに沿って移動させることによって接眼部の収納／突出及び焦点調整を行うよう構成されている。
【００４０】
図１１は右側のスライドフレーム３２により保持される光学部品を示す斜視図である。図１１に示すように、右側のスライドフレーム３２には、対物光学系の第１レンズ１１Ｒを移動可能に保持する第１レンズ枠１９と、図２に示す右側の望遠光学系１０Ｒの補助プリズム１２Ｒから接眼レンズ１５Ｒまでの部分を移動可能に保持する移動ユニット６ｂが支持されている。
【００４１】
まず、第１レンズ枠１９について説明する。
図１２は第１レンズ枠１９とスライドフレーム３２を示す斜視図である。第１レンズ枠１９の左端近傍には、案内軸３２５を挿通させるための挿通孔１９１が形成されている。また、第１レンズ枠１９の左端部には、案内軸３２５に沿って後方に延びる脚部１９ａが設けられており、脚部１９ａの先端には案内軸３２５を挿通させるための挿通孔１９０を有するブロック１９ｂが設けられている。
【００４２】
このように、第１レンズ枠１９の移動方向に沿って所定量離れた位置に、案内軸３２５を挿通する挿通孔１９１，１９０を設けることによって、案内軸３２５と挿通孔１９１，１９０との間に挿通用のクリアランスを設けても第１レンズ枠１９の移動がたつき及び光軸の傾きが防止される。従って、案内軸３２５及び挿通孔１９１，１９０の寸法公差をそれだけ大きくすることが可能になり、製造コストを低減することができる。なお、図１１に示すように、第１レンズ枠１９とブロック１９ｂとの距離は、間に位置する移動体６２の一部と干渉しないように設定されている。
【００４３】
図１１に示すように、第１レンズ枠１９を前後方向に駆動するため、第１レンズ枠１９の上方には羽根部材８１（後述）が設けられ、当該羽根部材８１に形成された係合溝８１ａが、第１レンズ枠１９の上面に植設された２つのピン１９３，１９３に係合している。
【００４４】
また、第１レンズ枠１９の案内軸３２５回りの位置決めのため、第１レンズ枠１９の右端にはスライドフレーム３２の側壁部３２１に上方から接する当接ピン１９２が設けられている。
羽根部材８１は僅かに右下がりに撓んだ形状に形成されており、羽根部材８１の係合溝８１ａが第１レンズ枠１９上面の係合ピン１９３，１９３に係合した状態で、羽根部材８１ａは第１レンズ枠１９を下方に向けて付勢する。かくして、羽根部材８１ａによる付勢によって、案内軸３２５上面側に挿通孔１９１，１９０が摺接し、また当接ピン１９２のスライドフレーム３２との当接とによって、第１レンズ枠１９の案内軸３２５回りの位置決めが行われる。
【００４５】
図１３は、第１レンズ枠１９を右方から見た図である。図１３（ａ）に示すように、当接ピン１９２は偏心形状を持ち、その略中心部を貫通するねじ１９ｃにより第１レンズ枠１９に固定されている。そのため、ねじ１９ｃを一旦緩め、当接ピン１９２の角度を調節することによって、図１３（ｂ）に実線と二転鎖線で示すように、第１レンズ枠１９の右端の高さを微調整することが可能になる。即ち、第１レンズ枠１９の案内軸３２５回りの位置の微調整が可能になる。
【００４６】
なお、本実施形態では、当接ピン１９２を偏心形状としているが、ねじ１９ｃをワッシャーを介して取り付け、このワッシャーの上下方向の位置を調節するよう構成しても良い。あるいは、上下方向に移動可能な調整ねじをさらに設けることもできる。
【００４７】
次に、移動ユニット６ｂについて説明する。
図１４は移動ユニット６ｂを示す分解斜視図である。図１４に示すように、移動ユニット６ｂは、プリズム（後述）を保持するプリズムホルダ６４と、レンズ群（後述）を保持するレンズホルダ６６、及びこれらを支持する移動体６２により構成されている。レンズホルダ６６の先端には接眼部の外装部材である化粧環６８が取り付けられ、化粧環６８の先端には目当てゴム６８ａが設けられている。
【００４８】
移動体６２は、プリズムホルダ６４を載置するベース板６２ａと、ベース板６２ａの後端及び左端に設けられた２つの鉛直壁６２ｂ，６２ｃよりなっている。２つの鉛直壁６２ｂ，６２ｃは平面視でＬ字状のフレームを形成し、鉛直壁６２ｂにはレンズ鏡筒６６が後方から取り付けられる。
【００４９】
レンズ鏡筒６６を移動体６２に固定するため、レンズ鏡筒６６には移動体６２の鉛直壁６２ｂに取り付けられるフランジ部１１０が形成されている。フランジ部１１０を移動体６２にねじ止めするため、鉛直壁６２ｂにはねじ孔１０２が形成され、フランジ部１１０には貫通孔１１１が形成されている。ねじ１１２を貫通孔１１１を介してねじ孔１０２に固定することにより、レンズ鏡筒６６が移動体６２に固定される。
【００５０】
また、移動体６２にプリズムホルダ６４を固定するため、プリズムホルダ６４の後端面６４５にはねじ孔１０４が形成され、移動体６２の鉛直壁６２ｂには貫通孔１０１が形成されている。ねじ１０３を貫通孔１０１を介してねじ孔１０４に固定することにより、プリズムホルダ６４は移動体６２に固定される。
【００５１】
なお、プリズムホルダ６４を移動体６２に対して概略位置決めするため、プリズムホルダ６４の後端面６４５には小突起６４６が突設されている。この小突起６４６は、移動体６２の鉛直壁６２ｂに形成される凹部６２９（図１５）に嵌挿され、これにより、プリズムホルダ６４の移動体６２に対する概略位置決めがなされる。
【００５２】
図１４に示すように、レンズ鏡筒６６に化粧管６８を取り付けるため、レンズ鏡筒６６の外周には突起１１４が突設され、化粧管６８の前端には該突起１１４をクランプするクランプ部１１５が設けられている。クランプ部１１５は、前後方向に延び前端に開口したＵ字溝を持ち、当該Ｕ字溝が突起１１４に係合するよう構成されている。従って、化粧管６８は、後方に引くことによりレンズ鏡筒６６から外れ、前方に押し込むことによってレンズ鏡筒６６に取り付けられる。
【００５３】
また、レンズ鏡筒６６の後端近傍の外周には、目当てゴム６８ａを取り付けるための係合溝１１６が形成されている。目当てゴム６８ａの開口部には、係号溝１１６に係合する係合部１１７が形成されている。目当てゴム６８ａは比較的柔らかいゴムで形成されているため、係合部１１７を係合溝１１６にはめ込んで、目当てゴム６８ａをレンズ鏡筒６６に取り付けることができる。
【００５４】
なお、鉛直壁６２ｃには、スライドフレーム３２の案内軸３２５（図１１）を挿通させるための挿通孔６２１，６２２が形成され、鉛直壁６２ｂの右端にはスライドフレーム３２の側壁部３２１に上方から接する当接部６２３が設けられている。従って、図１１に示すように、移動体６２は、スライドフレーム３２に対し、前後方向に移動可能に支持される。
【００５５】
図１５は、プリズムを保持するための構成を示す斜視図である。
図１５に示すように、プリズムホルダ６４は前端が開口した箱形形状に形成されており、その内部には、補助プリズム１２Ｒとダハプリズム１３Ｒが装着される。補助プリズム１２Ｒとダハプリズム１３Ｒは、プリズムホルダ６４に数カ所形成された接着剤用開口６４２に接着剤を流し込むことによってプリズムホルダ６４に固定される。
【００５６】
なお、補助プリズム１２Ｒとダハプリズム１３Ｒの間、及びプリズムホルダ６４の前端には、迷光防止のための第１及び第２遮光板６４１，６４３が取り付けられている。第１及び第２遮光板６４１，６４３は夫々観察すべき光束の通過する部分に開口を有し（第１の遮光板６４１の開口は不図示）、該開口の周辺部で迷光を遮るものである。
【００５７】
プリズムホルダ６４の、ダハプリズム１３Ｒのダハ面側の側面には、ダハプリズム１３Ｒのダハ面を拭くため切り欠き２０１が形成されている。切り欠き２０１は、ダハプリズム１３Ｒのダハ面全体を拭くことができるよう、プリズムホルダ６４の前端から後端に向けて延び、プリズムホルダ６４の自体の強度を維持するため後方ほど幅が狭くなるよう形成されている。このように構成されているため、ダハプリズム１３Ｒをプリズムホルダ６４に組み込んだ後でも、ダハプリズム１３Ｒのダハ面を拭くことが可能となる。
【００５８】
さらに、プリズムホルダ６４を移動体６２に取り付けると、図１４に示すように、切り欠き２０１は移動体６２の鉛直壁６２ｃによって塞がれる。そのため、プリズムホルダ６４を移動体６２に取り付けた後は、ダハプリズム１３Ｒのダハ面に汚れが付着することがない。
【００５９】
一般に、双眼鏡のような拡大光学系のダハプリズムの反射面は、金属蒸着が不要で、且つ反射率を最大とすることができるよう、ガラス／空気の界面で光束を全反射するよう構成されている。従って、ダハ面に指の脂などの汚れが付着すると、全反射の条件を満足しなくなりちらつきとなって観察される。実施形態の双眼鏡では、ダハプリズムをプリズムホルダに組み込んだ後でダハ面を清掃することができるため、ちらつきの発生を防止することが可能になる。
【００６０】
図１６は、レンズ群を保持するための構成を示す斜視図である。レンズ鏡筒６６には、前方から後方へ、第２レンズ１４Ｒ、視野枠１６Ｒ、及び接眼レンズ１５Ｒが装着されている。第２レンズ１４Ｒは第２レンズ枠１２０に保持される。第２レンズ枠１２０をレンズ鏡筒６６に取り付けることによって、接眼レンズ１５Ｒと視野枠１６Ｒは、レンズ鏡筒６６と第２レンズ枠１２０との間で挟まれ位置規制される。
【００６１】
次に、このように構成された左右の移動ユニットを駆動して焦点調節を行うための構成について説明する。
図１７は、双眼鏡１の内部構成を示す断面図である。右のスライドフレーム３１には、左の第１レンズ１１Ｌを保持する第１レンズ枠１８、及び前述の右の移動体６２と左右対称に構成された左の移動体６１が保持されている。なお、右の第１レンズ枠１９と異なり、左の第１レンズ枠１８は、スライドフレーム３１に対して固定されている。
【００６２】
左右の移動体６１，６２からは双眼鏡幅方向中央部に向けてアーム６１４，６２４が延びており、双眼鏡幅方向中央部には、アーム６１４，６２４を光軸方向に駆動するための焦点調整用駆動機構７０が設けられている。焦点調整用駆動機構７０には、焦点調整用の操作部材である転輪７１が設けられ、転輪７１の内部には駆動環７１ａが固定され、駆動環７１ａの内面には２つの突起７６，７７が設けられている。
【００６３】
また、駆動環７１ａの内部には、突起７６，７７に係合するねじ溝を有するねじ７３が設けられている。図１８に焦点調整用駆動機構７０の分解斜視図として示すように、ねじ７３は、前後方向に延びる支軸７２により貫通支持されている。ねじ７３の先端に設けられたスライダ７４には、中央支持体４５の内部に設けられた案内レール４５ａに案内されるコーナー部７４ａが形成され、コーナー部７４ａと案内レール４５ａとの摺動によって、スライダ７４（及びねじ７３）は前後方向に直進移動可能になる。
【００６４】
中央支持体４５の両側面には、左右の移動体６１，６２のアーム６１４，６２４を左右両側から挿入するためのスリット４５ｂ，４５ｂが形成されている。また、スライダ７４には、下方に向けて延びるレバー７５が取り付けられる。このレバー７５が、スリット４５ｂ，４５ｂから中央支持体４５の内部に挿入されたアーム６１４，６２４の溝６１５，６２５に上方から係合する。
このように、転輪７１の回転に伴い、レバー７５と溝６１５，６２５との係合によって、左右の移動体６１，６２が前後方向に移動する。
【００６５】
図１７に示す状態では、第１レンズ１１Ｌ，１１Ｒと移動ユニット６ａ，６ｂとは最も近接した状態にある。この状態では、移動ユニット６ａ，６ｂは後端部を残して双眼鏡１の外装ケース５１，５２内に収納されている。
図１９に、移動ユニット６ａ，６ｂが第１レンズ１１Ｌ，１１Ｒから最も離間した状態を示す。図１９に示す状態では、移動ユニット６ａ，６ｂの接眼レンズ１５Ｒ，１５Ｌ、化粧環６７，６８、及び目当てゴム６７ａ，６８ａが双眼鏡１の外装ケース５１，５２から後方（観察者側）に突出する。
【００６６】
実施形態の双眼鏡は、図１７に示すように移動ユニット６ａ，６ｂが最も第１レンズ１１Ｌ，１１Ｒに近接した状態（収納状態）では観察不能である。このように、接眼光学系を含む移動ユニット６ａ，６ｂが、観察不能状態（収納状態）になるまで第１レンズ１１Ｌ，１１Ｒに近接し得るよう構成されているため、双眼鏡１は未使用時にそれだけ小型になる。
【００６７】
なお、支軸７２の前方には、視度差調整のために第１レンズ枠１９を駆動するための羽根部材８１が移動可能に設けられ、中央支持体４５から右方に延出している。この羽根部材８１を駆動するための構成については後述する。
【００６８】
実施形態の双眼鏡は、双眼鏡の外部からプリズムの角度を微調整することによって、光軸のずれを調整できるよう構成したものである。即ち、図１４において、プリズムホルダ６４を移動体６２に固定するために移動体６２に設けられた貫通孔１０１の直径は、ねじ１０３のねじ部よりも所定量大きく構成され、貫通孔１０１におけるねじ１０３の位置が所定範囲内で調整できるよう構成されている。
【００６９】
ねじ１０３の位置を貫通孔１０１内で調整することによって、鉛直面内（即ち、光軸に直行する面内）における、プリズムホルダ６４の取り付け位置を微調整することができる。プリズムホルダ６４の取り付け位置の微調整によって、補助プリズム１２Ｒ及びダハプリズム１３Ｒ（図１５）の光軸回りの角度が変化し、これにより光軸のずれ等を調節することが可能になる。
【００７０】
プリズムホルダ６４は、後端面６４５の対角線上の２カ所でねじ止めされているため、当該２カ所においてねじ１０３の位置を調整すれば、より広範囲の調整が可能となる。また、ねじ１０３をドライバ等によって操作できるようにするため、ねじ１０３の後方に位置するフランジ部１１０には、工具を挿通する貫通孔１１３が形成されている。
【００７１】
図２０は、双眼鏡の内部構成を示す斜視図であり、図２１は、双眼鏡の接眼部側を示す正面図である。図２０及び図２１に示すように、化粧管６８と目当てゴム６８ａを取り外すと、双眼鏡１の外装５２とレンズ鏡筒６６の間の隙間を介して、外部からねじ１０３が操作可能となる。即ち、化粧管６８と目当てゴム６８ａを外すことにより、プリズムホルダ６４の鉛直面内における取り付け角度を微調整することが可能となる。
【００７２】
実施形態の双眼鏡は、プリズムホルダ６４の鉛直面内における位置の微調整をさらに簡単にするため、双眼鏡の下方から工具を挿入し、プリズムホルダ６４を押すことができるよう構成されている。即ち、図２２に示すように、移動体６２のベース板６２ａ及び底板４１の所定位置には、貫通孔２０２，２０３が夫々形成されており、工具を底板４１の貫通孔２０３、スライドフレーム３２の開口３２２、移動体６２の貫通孔２０２を通して、プリズムホルダ６４を上方へ押し上げる、あるいは左右方向に押して移動させることができる。
【００７３】
なお、移動体６２の貫通孔２０２は、移動体６２自体の強度が低下することがないよう、Ｌ字形状の鉛直壁６２ｂ，６２ｃが交わるコーナー部分の近傍に形成されている。また、底板４１の貫通孔２０３は、図２３に双眼鏡の底面図として示すように、通常は外装ケース５１，５２に隠れており、外装ケース５１，５２を取り外すことにより、（貫通孔２０３からの）工具の挿入が可能になる。
【００７４】
以上のように構成されているため、図２０に示すように化粧管６８と目当てゴム６８ａを取り外してドライバでねじ１１２を緩め、図２２に示すように貫通孔２０３から工具を挿通してプリズムホルダ６４を上方に押すことによって、プリズムホルダ６４の位置の微調整を簡単に行うことができる。
【００７５】
なお、底板４１の貫通孔２０３に対する移動体６１，６２の貫通孔２０２の位置は、焦点調整及び眼幅調整によって前後方向及び左右方向に変化する。実施形態の双眼鏡は、眼幅を一杯に広げ、且つ０ディオプターの眼で無限遠物体に焦点が合う状態で、底板４１の貫通孔２０３が移動体６２の貫通孔２０２に対応するよう構成されている。一般に、光学系の検査は、０ディオプターの眼で無限遠物体に焦点が合う状態で行われるため、検査をしながらプリズムホルダ６４の鉛直面内における位置の微調整を行うことができる。
【００７６】
次に、視度差調整のための構成について説明する。
実施形態の双眼鏡１は、図２４に示すように、双眼鏡１下面の幅方向中央部に円板形状の視度差調整つまみ９０を備えている。この視度差調整つまみ９０は、光軸と直交する軸の回りで回転操作されるよう構成されている。視度差調整つまみ９０の表面には、「・」「＋」「−」などの記号及び放射状に設けられたローレットが突出形成されており、「・」「＋」「−」等の記号及びローレットと指とのグリップにより、視度差調整つまみ９０を回転操作することができる。
【００７７】
また、実施形態の双眼鏡１は、左側の対物光学系の第１レンズ１１Ｌ（図２）を固定し、右側の対物光学系の第１レンズ１１Ｒ（図２）を前述の羽根部材８１（図１１）により光軸方向に移動することによって、視度差調整を行うよう構成されている。
【００７８】
図２５は、視度差調整つまみ９０の回転により羽根部材８１を移動させる視度差調整用駆動機構８０を下方から見た斜視図である。視度差調整つまみ９０の回転を羽根部材８１の直進運動に変換するため、視度差調整つまみ９０の上部には、視度差調整つまみ９０の回転中心に対し所定量偏心して駆動ピン９１が立設されている。そして、この駆動ピン９１に係合する凹部を有する駆動部材８３が、羽根部材８１と一体的に軸７２に沿って移動可能に設けられている。
【００７９】
図２６は、視度差調整つまみ９０の回転操作による駆動部材８３の動作を示す図である。なお、図２６では、分かり易くするため、駆動部材８３と視度差調整つまみ９０を真下から見た状態で別々に示す。図２６（ａ）に示すように、視度差調整つまみ９０が基準位置にセットされている状態では、駆動ピン９１は視度差調整つまみ９０の回転中心に対し横方向（双眼鏡幅方向）に並んだ状態にある。
【００８０】
図２６（ａ）の状態から、図２６（ｂ）に示すように視度差調整つまみ９０を時計回りに回転させると、駆動ピン９１は視度差調整つまみ９０の回転中心よりも前方に移動し、駆動部材８３を前進させる。即ち、羽根部材８１を前方に移動させる。また、図２６（ｃ）に示すように、視度差調整つまみ９０を反時計回りに回転させると、駆動ピン９１は視度差調整つまみ９０の回転中心よりも後方に移動し、駆動部材８３を後退させる。即ち、羽根部材８１を後方に移動させる。このようにして、視度差調整つまみ９０の回転操作による視度差調整が行われる。
【００８１】
最後に、本発明の特徴部分と実施形態との関係について説明する。
図１２に示すように、第１レンズ枠１９の右端にはスライドフレーム３２（フレーム）の側壁部３２１（案内面）に上方から接する当接ピン１９２が設けられている。羽根部材８１は僅かに右下がりに撓んだ形状に形成されており、羽根部材８１の係合溝８１ａが第１レンズ枠１９上面の係合ピン１９３，１９３に係合した状態で、羽根部材８１ａは第１レンズ枠１９を下方に向けて付勢する。かくして、羽根部材８１による付勢と、当接ピン１９２の側壁部３２１との当接とによって、第１レンズ枠１９の案内軸３２５回りの位置決めが行われる。
【００８２】
また、図１３（ａ）に示すように、当接ピン１９２は偏心形状を持ち、その略中心部を貫通するねじ１９ｃにより第１レンズ枠１９に固定されている。そのため、ねじ１９ｃを一旦緩め、当接ピン１９２の角度を調節することによって、図１３（ｂ）に実線と二転鎖線で示すように、第１レンズ枠１９の右端の高さを微調整することが可能になる。即ち、第１レンズ枠１９の案内軸３２５回りの位置の微調整が可能になる。
【００８３】
【発明の効果】
以上説明したように、本発明の双眼鏡は、付勢手段による回動付勢によって、レンズ枠の当接部が案内面に常時当接するよう構成したため、レンズ枠の案内軸回りの位置決めが行われ、従って、レンズ枠の移動に伴うレンズ光軸のずれが防止される。
【図面の簡単な説明】
【図１】本実施形態の双眼鏡の斜視図である。
【図２】図１の双眼鏡の光学系を示す図である。
【図３】図１の双眼鏡の分解斜視図である。
【図４】スライドフレームと底板を示す斜視図である。
【図５】ピンの取付部を示す断面図である。
【図６】ピンの別の例を示す断面図である。
【図７】スライドフレームを底板に取り付けた状態を示す斜視図である。
【図８】スライドフレームのスライド動作を示す斜視図である。
【図９】スライドフレームへの外装ケースの取付構造を示す斜視図である。
【図１０】左右の鏡体のスライド動作を示す断面図である。
【図１１】移動ユニットの構造を示す斜視図である。
【図１２】第１レンズ枠を示す斜視図である。
【図１３】第１レンズ枠の当接ピンを示す図である。
【図１４】移動ユニットの構造を示す斜視図である。
【図１５】プリズムホルダと各プリズムを示す斜視図である。
【図１６】レンズホルダと各レンズを示す斜視図である。
【図１７】双眼鏡の内部構造を示す平面図である。
【図１８】焦点調整機構を示す分解斜視図である。
【図１９】双眼鏡の内部構造を示す平面図である。
【図２０】双眼鏡の内部構造を示す斜視図である。
【図２１】双眼鏡の接眼側を示す図である。
【図２２】プリズムホルダの微調整のための構成を示す分解斜視図である。
【図２３】双眼鏡の底面図である。
【図２４】視度調整つまみを示す斜視図である。
【図２５】視度調整機構を示す斜視図である。
【図２６】視度差調整による羽根部材の動作を示す概略図である。
【符号の説明】
１              双眼鏡
１１Ｌ，１１Ｒ  第１レンズ
１２Ｌ，１２Ｒ  補助プリズム
１３Ｌ，１３Ｒ  ダハプリズム
１４Ｌ，１４Ｒ  第２レンズ
１５Ｌ，１５Ｒ  接眼レンズ
１９            第１レンズ枠
１９ａ          脚部
２１，２２      鏡体
３１，３２      スライドフレーム
３６            ピニオン
４１            底板
４１３，４１４，４１５，４１６  案内ピン
５１，５２      外装ケース
６１，６２      移動体
１２１，１２２  ねじ孔
１２３，１２４  ワッシャ
１２５，１２６  カラー
１３１，１３２  案内ピン
１９０，１９１  挿通孔
１９２          当接ピン
２０２，２０３  貫通孔
【図１】
0003782528.tif 000002
【図２】
0003782528.tif 000003
【図３】
0003782528.tif 000004
【図４】
0003782528.tif 000005
【図５】
0003782528.tif 000006
【図６】
0003782528.tif 000007
【図７】
0003782528.tif 000008
【図８】
0003782528.tif 000009
【図９】
0003782528.tif 000010
【図１０】
0003782528.tif 000011
【図１１】
0003782528.tif 000012
【図１２】
0003782528.tif 000013
【図１３】
0003782528.tif 000014
【図１４】
0003782528.tif 000015
【図１５】
0003782528.tif 000016
【図１６】
0003782528.tif 000017
【図１７】
0003782528.tif 000018
【図１８】
0003782528.tif 000019
【図１９】
0003782528.tif 000020
【図２０】
0003782528.tif 000021
【図２１】
0003782528.tif 000022
【図２２】
0003782528.tif 000023
【図２３】
0003782528.tif 000024
【図２４】
0003782528.tif 000025
【図２５】
0003782528.tif 000026
【図２６】
0003782528.tif 000027